(57)【要約】【課題】取扱説明書に保証書などの書類を簡単に収納できるようにする。【解決手段】見開き可能に背部２を綴じた電子機器の取扱説明書１において、この取扱説明書１の外側である裏表紙３とこの裏表紙３と重なり合う用紙部４との、上縁部５、下縁部６、及び側縁部９を綴じることにより、裏表紙３と用紙部４との間に書類収納部７を形成する。裏表紙３には書類挿入口１２を形成する。これにより、取扱説明書１を開かずに、書類挿入口１２から書類収納部７に保証書１１などの書類を簡単に収納できる。【選択図】図３
2007144796.tif 000002
【特許請求の範囲】
【請求項１】
左右方向に見開き可能に背部を綴じた電子機器の取扱説明書において、この取扱説明書の裏表紙とこの裏表紙と重なり合う用紙部との、上縁部、下縁部、及び前記背部の反対側の側縁部を綴じることにより、前記裏表紙の内側と前記用紙部との間に書類収納部を形成し、前記裏表紙に書類挿入口を形成したことを特徴とする電子機器の取扱説明書。
【請求項２】
左右方向に見開き可能に背部を綴じた電子機器の取扱説明書において、この取扱説明書の裏表紙とこの裏表紙と重なり合う用紙部とが二つ折りされた用紙片の開口した縁部を綴じることにより、前記裏表紙の内側と前記用紙部との間に書類収納部を形成し、前記裏表紙に書類挿入口を形成したことを特徴とする電子機器の取扱説明書。
【請求項３】
前記書類挿入口は、前記取扱説明書の左右方向に直線状に形成した第１の書類挿入口と、この第１の書類挿入口に対して傾斜した直線状の第２の書類挿入口とであり、これら第１，第２の書類挿入口の各々から前記書類収納部に挿入されるための書類の名称を前記裏表紙に記したことを特徴とする請求項１又は２記載の電子機器の取扱説明書。
【請求項４】
前記第１の書類挿入口又は第２の書類挿入口の一方から挿入される書類は、前記電子機器を保証するための保証書であることを特徴とする請求項３記載の電子機器の取扱説明書。
【発明の詳細な説明】
【技術分野】
【０００１】
本発明は、電子機器に付属される取扱説明書に関し、特に保証書などの書類を取扱説明書に収納することが可能な電子機器の取扱説明書に関する。
【背景技術】
【０００２】
近年、電子機器などの製品は、製品本体、付属品（例えば、リモコン、電池など）の他に、「取扱説明書」及び「保証書」が梱包箱に同梱され、これらの他に製品の取り扱いで特に注意してもらいたいことや知っておいてもらいたいことをユーザに促すため、「お知らせ」などの書類が同梱されている。通常、こうした書類は、紙類として一つの袋にまとめられた状態で梱包箱に収納されていたり、或いは、販売店が取り出し易いように、梱包箱の上蓋などに「保証書」が貼り付けられている場合もある。
【０００３】
また、特許文献１には、ノートの表紙の内側に凹字型のポケット形成用シートを糊付けすることにより、メモやカードなどを収納するポケットを形成したポケット付ノートが
開示されている。また、特許文献２には、本の表紙から内側に折り返した折り返し部の周縁を、本の表紙の内側に接着し、表紙と折り返し部との間に形成したポケットに、ＣＤ、印刷物などの薄状物を折り返し部に形成した挿入口から挿入して収納する本が開示されている。
【０００４】
【特許文献１】実開平６−１６０７２号公報
【特許文献２】特開２００１−２１９６７０号公報
【発明の開示】
【発明が解決しようとする課題】
【０００５】
しかし、特許文献１においては、メモなどの収納物をポケットに入れるには、ノートを開かなければ収納することができない。また、特許文献２においても、本の表紙の内側の挿入口を介してポケットに薄状物を収納するものであるので、本を開かなければ、薄状物をポケットに収納することはできない。すなわち、こうした特許文献１及び特許文献２では、いちいちノートや本を開かなければ、メモなどを収納することができず、使い勝手が良いものではない。
【０００６】
本発明は上記課題に鑑みてなされたものであり、電子機器に付属される取扱説明書に保証書などの書類を、取扱説明書を開かずに簡単に収納することが可能な電子機器の取扱説明書を提供することを目的とする。
【課題を解決するための手段】
【０００７】
請求項１に係る電子機器における取扱説明書は、左右方向に見開き可能に背部を綴じた電子機器の取扱説明書において、この取扱説明書の裏表紙とこの裏表紙と重なり合う用紙部との、上縁部、下縁部、及び前記背部の反対側の側縁部を綴じることにより、前記裏表紙の内側と前記用紙部との間に書類収納部を形成し、前記裏表紙に書類挿入口を形成したことを特徴とする。
【０００８】
請求項１の構成により、取扱説明書の書類挿入口から、電子機器に付属された保証書などの書類を挿入して書類収納部に収納することで紛失しないように保管することができ、書類挿入口が取扱説明書の外側の裏表紙に形成されているので、取扱説明書をいちいち開かなくても、書類挿入口から書類収納部に書類を簡単に収納することができる。
【０００９】
請求項２に係る電子機器における取扱説明書は、左右方向に見開き可能に背部を綴じた電子機器の取扱説明書において、この取扱説明書の裏表紙とこの裏表紙と重なり合う用紙部とが二つ折りされた用紙片の開口した縁部を綴じることにより、前記裏表紙の内側と前記用紙部との間に書類収納部を形成し、前記裏表紙に書類挿入口を形成したことを特徴とする。
【００１０】
請求項２の構成により、取扱説明書の書類挿入口から、電子機器に付属された保証書などの書類を挿入して書類収納部に収納することで紛失しないように保管することができ、書類挿入口が取扱説明書の外側の裏表紙に形成されているので、取扱説明書をいちいち開かなくても、書類挿入口から書類収納部に書類を簡単に収納することができる。
【００１１】
請求項３に係る電子機器における取扱説明書は、請求項１又は２記載の電子機器における取扱説明書において、前記書類挿入口は、前記取扱説明書の左右方向に直線状に形成した第１の書類挿入口と、この第１の書類挿入口に対して傾斜した直線状の第２の書類挿入口とであり、これら第１，第２の書類挿入口の各々から前記書類収納部に挿入されるための書類の名称を前記裏表紙に記したことを特徴とする。
【００１２】
請求項３の構成により、第１，第２の書類挿入口のそれぞれに対応して、これらの各々から挿入される書類の種類の名称を記すことで、第１，第２の書類挿入口の所定の挿入口から挿入されるべき書類の種類がわかり易くなり、さらに、２つの書類挿入口が同じ角度で形成されているのに比べ、第１の書類挿入口に対して第２の書類挿入口を傾斜して形成することで、第1の書類挿入口と第２の書類挿入口とが平行ではなく異なる角度で形成されることから、第1の書類挿入口と第２の書類挿入口との判別がつき易くなる。
【００１３】
請求項４に係る電子機器における取扱説明書は、請求項３記載の電子機器における取扱説明書において、前記第１の書類挿入口又は第２の書類挿入口の一方から挿入される書類は、前記電子機器を保証するための保証書であることを特徴とする。
【００１４】
請求項４の構成により、電子機器に付属されている紛失し易い保証書を、第１の書類挿入口又は第２の書類挿入口の一方から挿入することで書類収納部に収納し、保証書の紛失のおそれを軽減することができる。
【発明の効果】
【００１５】
請求項１に係る電子機器における取扱説明書によれば、左右方向に見開き可能に背部を綴じた電子機器の取扱説明書において、この取扱説明書の裏表紙とこの裏表紙と重なり合う用紙部との、上縁部、下縁部、及び前記背部の反対側の側縁部を綴じることにより、前記裏表紙の内側と前記用紙部との間に書類収納部を形成し、前記裏表紙に書類挿入口を形成したので、電子機器に付属された保証書などの書類を紛失しないよう取扱説明書そのものに保管することができ、電子機器に付属される保証書やその他の種々の書類を別体の袋などにまとめて収納せずに済むので、袋が不要となることからコストを安価に抑えることができる。さらに、取扱説明書に保証書やお知らせ用紙などの書類を収納しておけば、電子機器に付属されるこうした書類の有無の確認を、電子機器の生産時の作業者、ならびに購入者が確認し易くなる。
【００１６】
請求項２に係る電子機器における取扱説明書によれば、左右方向に見開き可能に背部を綴じた電子機器の取扱説明書において、この取扱説明書の裏表紙とこの裏表紙と重なり合う用紙部とが二つ折りされた用紙片の開口した縁部を綴じることにより、前記裏表紙の内側と前記用紙部との間に書類収納部を形成し、前記裏表紙に書類挿入口を形成したので、電子機器に付属された保証書などの書類を紛失しないよう取扱説明書そのものに保管することができ、電子機器に付属される保証書やその他の種々の書類を別体の袋などにまとめて収納せずに済むので、袋が不要となることからコストを安価に抑えることができる。さらに、取扱説明書に保証書やお知らせ用紙などの書類を収納しておけば、電子機器に付属されるこうした書類の有無の確認を、電子機器の生産時の作業者、ならびに購入者が確認し易くなる。
【００１７】
請求項３に係る電子機器における取扱説明書によれば、請求項１又は２記載の電子機器における取扱説明書において、前記書類挿入口は、前記取扱説明書の左右方向に直線状に形成した第１の書類挿入口と、この第１の書類挿入口に対して傾斜した直線状の第２の書類挿入口とであり、これら第１，第２の書類挿入口の各々から前記書類収納部に挿入されるための書類の名称を前記裏表紙に記したので、第１の書類挿入口と第２の書類挿入口とから挿入されるべき書類を名称で把握することができると共に、第1の書類挿入口と第２の書類挿入口とは異なる角度で形成されているので、これらの判別が容易となる。
【００１８】
請求項４に係る電子機器における取扱説明書によれば、請求項３記載の電子機器における取扱説明書において、前記第１の書類挿入口又は第２の書類挿入口の一方から挿入される書類は、前記電子機器を保証するための保証書であり、一般的に電子機器に付属されている紛失し易い保証書を、取扱説明書に収納することで、保証書を紛失してしまうことのないように管理することができる。
【発明を実施するための最良の形態】
【００１９】
以下、本発明を実施するための最良の形態としての実施例を説明する。もちろん、本発明は、その発明の趣旨に反さない範囲で、実施例において説明した以外のものに対しても容易に適用可能なことは説明を要するまでもない。
【実施例１】
【００２０】
図１は実施例１における電子機器に付属される取扱説明書を正面側から視た状態を示す斜視図、図２は取扱説明書を背面側から視た状態を示す斜視図、図３は取扱説明書に保証書とお知らせ用紙を収納した状態を示す説明図である。取扱説明書１は、電子機器などの製品に付属されるものであり、複数枚の文章などの記された同じ大きさの用紙が重ねられた状態で、左右方向に見開き可能に背部２が綴じられている。
【００２１】
取扱説明書１の裏表紙３とこの裏表紙３と重なり合う用紙部４との上縁部５、下縁部６、及び側縁部９は、糊付けなどにより綴じていることから、裏表紙３の内側とこの裏表紙３と重なり合う用紙部４との間には周縁を閉塞したポケットとしての書類収納部７が形成され、この書類収納部７に、後述する保証書などの書類を収納することで、書類の紛失をすることなく保管することができるようになっている。
【００２２】
裏表紙３には、「お知らせ」などのユーザに知らせたい情報などの記入されたお知らせ用紙８を挿入するための直線状であって且つ取扱説明書１の左右方向に水平な第１の書類挿入口１０と、電子機器の保証書１１を挿入するための直線状であって前記第１の書類挿入口１０に対して平行ではなく傾斜している第２の書類挿入口１２とが形成されており、これら第１，第２の書類挿入口１０，１２から書類収納部７に書類が収納される。なお、第１，第２の書類挿入口１０，１２は、取扱説明書１の内側ではなく外側である裏表紙３に形成されているので、従来のように、書類を収納するためのポケットなどへの書類の挿入口が、ノートや本などの内側に設けられていることで、取扱説明書１を開かなくても、第１，第２の書類挿入口１０，１２から書類収納部７に書類を収納することができる。
【００２３】
また、第１の書類挿入口１０の近傍、すなわち、第１の書類挿入口１０の１０ｍｍほど近くには、この第１の書類挿入口１０から挿入される書類の種類がわかるように、お知らせ用紙８に対応した「お知らせ」の文字が記されている。また、第２の書類挿入口１２から挿入される書類の種類がわかるように、裏表紙３の「保証書」の文字が、点線で第２の書類挿入口１２を指し示している。このように、第１の書類挿入口１０と第２の書類挿入口１２とから挿入される書類の種類がわかり易くなるように、文字や点線、或いは記号などで裏表紙３に記されている。
【００２４】
以上のように本実施例の冊子としての取扱説明書１においては、この取扱説明書１の裏表紙３とこの裏表紙３と重なり合う用紙部との、上縁部５、下縁部６、及び前記背部２の反対側に位置する側縁部９を綴じることにより、裏表紙３の内側と用紙部４との間にポケットとしての書類収納部７を形成し、且つ裏表紙３に第１，第２の書類挿入口１０，１２を形成したので、こうした第１，第２の書類挿入口１０，１２から、電子機器に付属された保証書１１やお知らせ用紙８などの書類を挿入して書類収納部７に収納することで、書類が紛失しないように保管することができる。しかも、第１，第２の書類挿入口１０，１２が取扱説明書の裏表紙、すなわち、取扱説明書１の外側に形成されているので、取扱説明書１をいちいち開かなくても、第１，第２の書類挿入口１０，１２から書類収納部７にお知らせ用紙８と保証書１１とを簡単に収納することができる。よって、電子機器に付属された保証書１１やお知らせ用紙８などの書類を紛失しないよう取扱説明書１そのものに保管することができ、電子機器に付属される保証書やその他の種々の書類を別体の袋などにまとめて収納せずに済むので、収納袋が不要となりコストを安価に抑えることができる。さらに、取扱説明書１に保証書１１とお知らせ用紙８とを収納しておけば、電子機器に付属されるこうした書類の有無の確認を、電子機器を製造する作業者側、ならびに購入者が確認し易くなる。
【００２５】
さらに、第１，第２の書類挿入口１０，１２の各々から書類収納部７に挿入される書類の名称である「保証書」と「お知らせ」とを前記裏表紙３に記し、第１の書類挿入口１０と第２の書類挿入口１２とから挿入される書類の種類がわかり易くなるように、対応した書類の名称を記すことで、第１の書類挿入口１０と第２の書類挿入口１２との所定の挿入口に間違えることなく、前者にはお知らせ用紙８を、後者には保証書１１を挿入し易くなる。
【００２６】
しかも、書類挿入口の一方、本実施例では第２の書類挿入口１２から挿入される書類は、少なくとも電子機器を所定の期間内の間に無償や有償で修理するための保証書１１であり、電子機器に付属されている紛失し易い保証書１１やお知らせ用紙８などの重要書類を、取扱説明書１に一体的に収納し、取扱説明書１と共にまとめて保管することで、保証書１１やお知らせ用紙８などの書類の紛失のおそれを軽減することが可能となる。
【００２７】
なお、第１，第２の書類挿入口１０，１２の形状としては、図２などで示した形状のものに限定するものではなく、裏表紙３にスリット状の切り込みを設けた形状のものであっても良いことは言うまでもない。また、第１，第２の書類挿入口１０，１２は、取扱説明書１の裏表紙に形成しているが、これに限定するものではなく、裏表紙３の反対側である取扱説明書１の表表紙１５に形成するなど、適宜選定しても良い。また、第２の書類挿入口１２を指し示す点線の代わりに、矢印やその他の記号などで指し示しても良い。また、電子機器を所定の期間内の間に無償や有償で修理依頼するための書類として、保証書１１を挙げているが、この保証書１１としては、この「保証書」の文言に限定するものではなく、同様の主旨の書類であれば、上述した保証書１１と同じものとする。
【実施例２】
【００２８】
図４は実施例２における取扱説明書の製本工程を示す説明図であり、前記実施例１と同一部分には同一符号を付しその詳細な説明を省略する。本実施例２における取扱説明書１は、裏表紙３と用紙部４とが一体となった用紙片２１を有し、表表紙１５を含む複数枚の重ねられた用紙の束２２と、二つ折りされる第１，第２の挿入口１０，１２の形成された用紙片２１とを綴じるため、図４の（ａ）に示す用紙片２１の二つ折りされる前の状態から、図４の（ｂ）に示すように、用紙片２１を二つ折りする。次に、図４の（ｃ）に示すように、用紙片２１の折り曲げた側の反対側が背部側となる状態で、二つ折りした用紙片２１と前記用紙の束２２とを重ね合わせ、用紙片２１と用紙の束２２とを綴じて背部２を形成する。次に、図４の（ｄ）に示すように、用紙片２１の開口した縁部である上縁部５と下縁部６とを綴じることで周縁を閉塞した書類収納部７を形成する。これにより、本実施例２では、裏表紙３とこの裏表紙３と重なり合う用紙部４との間の書類収納部７を、実施例１のように、糊付けなどにより側縁部９を綴じる作業が不要となることから、取扱説明書１の製本工程の簡略化を図ることで、製造コストを安価に抑えることができる。
【図面の簡単な説明】
【００２９】
【図１】実施例１における電子機器に付属される取扱説明書を正面側から視た状態を示す斜視図である。
【図２】同上、取扱説明書を背面側から視た状態を示す斜視図である。
【図３】同上、取扱説明書に保証書とお知らせ用紙を収納した状態を示す説明図である。
【図４】実施例２における取扱説明書の製本工程を示す説明図である。
【符号の説明】
【００３０】
１  取扱説明書
２  背部
３  裏表紙
４  用紙部
５  上縁部
６  下縁部
７  書類収納部
９  側縁部
１０  第１の書類挿入口（書類挿入口）
１１  保証書
１２  第２の書類挿入口（書類挿入口）
２１  用紙片
【図１】
2007144796.tif 000003
【図２】
2007144796.tif 000004
【図３】
2007144796.tif 000005
【図４】
2007144796.tif 000006